(57)【要約】【課題】空調性及び静粛性を向上しうる。【解決手段】２階又はそれより階上の居室８の天井面８ａに形成された換気口２と、換気口２から１階の床下空間６まで連続してのびるダクト部３と、床下空間６に設置されかつ床下空気７をダクト部３を介して換気口２へ供給する給気ファン４とを具えた住宅換気システム１である。ダクト部３は、一端が換気口２に接続されるとともに小屋裏２２内をのびる小屋裏ダクト部２６、一端が給気ファン４に接続されるとともに床下空間６をのびる床下ダクト部２７、及び小屋裏ダクト部２６と床下ダクト部２７とを連結する連結ダクト部２８を含んで形成される。小屋裏ダクト部２６には、小屋裏２２の熱を遮るとともに給気ファン４の騒音の伝達を軽減する消音断熱材３２が配される。【選択図】図１
2010164241.tif 000002
【特許請求の範囲】
【請求項１】
２階又はそれより階上の居室の天井面に形成された換気口と、
前記換気口から１階の床下空間まで連続してのびるダクト部と、
前記床下空間に設置されかつ床下空気を前記ダクト部を介して前記換気口へ供給する給気ファンとを具えた住宅換気システムであって、
前記ダクト部は、一端が前記換気口に接続されるとともに小屋裏内をのびる小屋裏ダクト部、一端が前記給気ファンに接続されるとともに前記床下空間をのびる床下ダクト部、及び前記小屋裏ダクト部と前記床下ダクト部とを連結する連結ダクト部を含み、
前記小屋裏ダクト部には、前記小屋裏の熱を遮るとともに前記給気ファンの騒音の伝達を軽減する消音断熱材が配されることを特徴とする住宅換気システム。
【請求項２】
前記ダクト部は、９０度以上の角度で屈曲する屈曲部を５つ以上含む請求項１記載の住宅換気システム。
【請求項３】
前記連結ダクトは、前記換気口が設けられた居室の床面と該床面の下階の居室の天井面との間の空間を水平にのびる部分を含む請求項１又は２に記載の住宅換気システム。
【請求項４】
前記連結ダクトは、前記空間内に少なくとも２つの屈曲部を有する請求項３記載の住宅換気システム。
【発明の詳細な説明】
【技術分野】
【０００１】
本発明は、床下空気を階上へ供給する住宅換気システムに関し、詳しくは、空調性及び静粛性を向上しうる住宅換気システムに関する。
【背景技術】
【０００２】
近年の住宅において、１階の床下空気を階上の居室に供給する住宅換気システムが提案されている。図１０に示されるように、例えば、従来の住宅換気システムａは、２階の天井面ｅに形成された換気口ｂと、換気口ｂから小屋裏ｆ内を通って１階の床下空間ｇまで連続してのびるダクト部ｃと、床下空間ｇに設置されかつ床下空気ｈをダクト部ｃを介して換気口ｂへ供給する給気ファンｄとを含む。床下空間ｇの空気は、１年を通して比較的温度変化が少ない。従って、このような住宅換気システムａは、夏は涼しく、かつ、冬は暖かい床下空気ｈを階上の居室ｉに導入して換気を行うことができる。
【０００３】
なお、住宅換気システムに関連する先行技術としては次のものがある（例えば下記特許文献１参照）。
【０００４】
【特許文献１】特開平１１−２４７３１６号公報
【発明の開示】
【発明が解決しようとする課題】
【０００５】
しかしながら、従来の住宅換気システムａでは、特に夏季において、床下空気ｈが小屋裏ｆ内を通過する際に、該小屋裏ｆに滞留する熱によって暖められ、暖かい空気が居室ｉ内に導入されてしまうという欠点がある。また、給気ファンｄの運転ノイズがダクト部ｃの内部を通って居室ｉまで伝達され静粛性に劣るという問題もあった。
【０００６】
本発明は、以上のような実状に鑑み案出されたもので、２階等の居室の天井面に形成される換気口から１階の床下空間まで連続してのびるダクト部のうち、小屋裏内をのびる小屋裏ダクト部に、小屋裏の熱を遮るとともに給気ファンの騒音の伝達を軽減する消音断熱材を配することを基本として、空調性及び静粛性を向上しうる住宅換気システムを提供することを主たる目的としている。
【課題を解決するための手段】
【０００７】
本発明のうち請求項１記載の発明は、２階又はそれより階上の居室の天井面に形成された換気口と、前記換気口から１階の床下空間まで連続してのびるダクト部と、前記床下空間に設置されかつ床下空気を前記ダクト部を介して前記換気口へ供給する給気ファンとを具えた住宅換気システムであって、前記ダクト部は、一端が前記換気口に接続されるとともに小屋裏内をのびる小屋裏ダクト部、一端が前記給気ファンに接続されるとともに前記床下空間をのびる床下ダクト部、及び前記小屋裏ダクト部と前記床下ダクト部とを連結する連結ダクト部を含み、前記小屋裏ダクト部には、前記小屋裏の熱を遮るとともに前記給気ファンの騒音の伝達を軽減する消音断熱材が配されることを特徴とする。
【０００８】
また請求項２記載の発明は、前記ダクト部は、９０度以上の角度で屈曲する屈曲部を５つ以上含む請求項１記載の住宅換気システムである。
【０００９】
また請求項３記載の発明は、前記連結ダクトは、前記換気口が設けられた居室の床面と該床面の下階の居室の天井面との間の空間を水平にのびる部分を含む請求項１又は２に記載の住宅換気システムである。
【００１０】
また請求項４記載の発明は、前記連結ダクトは、前記空間内に少なくとも２つの屈曲部を有する請求項３記載の住宅換気システムである。
【発明の効果】
【００１１】
本発明の住宅換気システムでは、２階又はそれより階上の居室の天井面に形成される換気口から１階の床下空間まで連続してのびるダクト部のうち、小屋裏内をのびる小屋裏ダクト部に、小屋裏の熱を遮るとともに給気ファンの騒音の伝達を軽減する消音断熱材が配される。これにより、住宅換気システムは、小屋裏に滞留する熱に影響されることなく床下空気を階上の居室へ供給でき、空調性が向上する。また、消音断熱材は、給気ファンの運転ノイズの伝達を軽減し、居室内の静粛性を向上できる。
【発明を実施するための最良の形態】
【００１２】
以下、本発明の実施の一形態が図面に基づき説明される。
図１には、本実施形態の住宅換気システムの断面図が示される。本実施形態の住宅換気システム１は、二階建ての規格化住宅に設置されたもので、２階の居室８の天井面８ａに形成された換気口２と、該換気口２から１階の床下空間６まで連続してのびるダクト部３と、該床下空間６に設置されかつ床下空気７をダクト部３を介して換気口２へ供給する給気ファン４とを具える。
【００１３】
このような住宅換気システム１は、夏は涼しく、かつ、冬は暖かい床下空気７を、２階の居室８に導入して換気を行うことができるので、空気の清浄性を保ちつつ、冷暖房費を抑えることができる。なお、住宅が三階建て以上の場合、２階よりもさらに階上の居室の天井面（例えば、３階の居室の天井面）に換気口２が設けられても良い。
【００１４】
図２には、換気口２の拡大断面図が示される。換気口２には、前記天井面８ａに固着されたフレーム部１７と、該フレーム部１７の下面に取り外し可能に固着されたルーバー部１８と、該ルーバー部１８と前記フレーム部１７との間に配されたフィルター部１９とを含むグリル部１５が設けられる。
【００１５】
前記フレーム部１７は、前記天井面８ａに形成された円形の開口部８ｂに内挿される円筒部１７ａと、該円筒部１７ａの下端から外方に張り出しかつ天井面８ａにビス３８で固着されるフランジ部１７ｂとから形成される。
【００１６】
図３に示されるように、前記ルーバー部１８には、例えば矩形の平板状をなし、床下空気７を２階の居室８へ通過させるスリット状の通気溝１８ａが複数形成されている。また、ルーバー部１８の外周部には、取付孔１８ｂが設けられ、ビス２１によってフレーム部１７のフランジ部１７ｂに固着される。
【００１７】
前記フィルター部１９は、例えば不織布やガラス繊維等の公知のフィルター材が使用され、少なくとも前記通気溝１８ａを覆うように、フレーム部１７とルーバー部１８との間で狭持されている。
【００１８】
図１及び図４に示されるように、本実施形態の給気ファン４は、床下空間６内の例えば土間コンクリート１１の上に設置されている。図４に示されるように、給気ファン４は、箱状に形成された本体部４Ａと、該本体部４Ａの下方にボルトにて固着されかつ前記本体部４Ａを支持する支脚部４Ｂとを含んで構成される。本体部４Ａには、一方側で開口する吸込口４Ｃと、他方側で開口する吹出口４Ｄとが形成される。
【００１９】
本体部４Ａには、吸込口４Ｃから吹出口４Ｄへと床下空気７（図１に示す）の気流を発生させるファン部４Ｅと、該ファン部４Ｅの回転数や停止時間等を制御する制御装置４Ｆとが設けられている。制御装置４Ｆは、例えば居室の壁面等に設けられるコントローラ（図示省略）等によって操作される。
【００２０】
本実施形態の支脚部４Ｂは、平面視略矩形状に形成された板状の金物が用いられる。支脚部４Ｂと土間コンクリート１１（図１に示す）との間には、例えば、損失正接が大きいゴム材等からなる防振材１２が設けられている。このような防振材１２は、給気ファン４の振動を吸収し、該振動が土間コンクリート１１に伝達されることを抑制しうるので、床下空間６及び１階等の居室１３の静粛性を向上しうる。また、吸込口４Ｃには、例えば虫や塵等の異物が本体部４Ａへ侵入することを抑制する網状部１４が配されるのが好ましい。
【００２１】
前記ダクト部３は、図１に示されるように、一端が換気口２に接続されるとともに小屋裏２２内をのびる小屋裏ダクト部２６、一端が給気ファン４に接続されるとともに床下空間６をのびる床下ダクト部２７、及び小屋裏ダクト部２６と床下ダクト部２７とを連結する連結ダクト部２８から形成される。
【００２２】
図３に示されるように、本実施形態の小屋裏ダクト部２６は、屈曲自在に形成されたダクト本体３１と、該ダクト本体３１の外周面に配された消音断熱材３２とから構成される。前記ダクト本体３１には、例えば、軽量性及び施工性に優れる従来のアルミ製ダクトが好適に採用される。
【００２３】
このように、本実施形態の住宅換気システム１は、小屋裏ダクト部２６に消音断熱材３２が配されるので、特に夏季等においても、小屋裏２２に滞留する熱に影響されることなく、床下空気７を２階又はそれより階上の居室８へ供給でき、空調性を向上しうる。また、消音断熱材３２は、給気ファン４の運転ノイズの伝達を軽減できるので、居室８内にこれらのノイズが伝達されるのを防ぎ、静粛性を向上できる。
【００２４】
前記消音断熱材３２としては、例えばグラスウール、ロックウール、ウレタン及び／又はエラストマー等が適宜選択されるが、とりわけ低コストかつ優れた消音性及び断熱性を有するグラスウールが好ましい。また、消音断熱材３２は、これらの材料を２以上組み合わせて構成することもできる。なお、消音断熱材３２は、湿気の浸入や劣化を防止するために、例えば、ポリエチレン等のカバー材３３によって覆われるのが好ましい。
【００２５】
また、図２に示したように、本実施形態において、小屋裏ダクト部２６の一端には、円筒状の固定部材３４が、例えばビス３５及びアルミニウム等の金属製のテープ材３６によって固着される。固定部材３４は、前記天井面８ａの開口部８ｂに、小屋裏２２側から挿入される。そして、固定部材３４は、グリル部１５の円筒部１７ａに、パッキン３７を介して気密に外挿固着される。これにより、小屋裏ダクト部２６は、グリル部１５に固着される。なお、固定部材３４とフランジ部１７ｂとの間の隙間は、前記テープ材３６で気密に覆われるのが望ましい。
【００２６】
なお、本実施形態では、天井材８Ａの上面かつ開口部８ｂの周囲に、補強材３９を配するとともに、この補強材３９に、フレーム部１７を固着するビス３８を螺着している。これにより、例えば天井材８Ａの厚さＷ１が小さい場合でも、グリル部１５の固着強度を向上させることができる点で望ましい。
【００２７】
なお、図３から明らかなように、小屋裏ダクト部２６は、天井材８Ａの開口部８ｂの直前において、消音断熱材３２が途切れがちとなり、その部分での消音断熱効果が低下するおそれがある。このような点に鑑み、例えば図５に示されるように、小屋裏ダクト部２６と天井材８Ａの上面との接続部を、例えば一対のマット状の消音断熱材４４で挟むように覆うことが望ましい。これにより、小屋裏ダクト部２６は、小屋裏２２の熱、及び給気ファン４の運転ノイズの伝達がより一層効果的に軽減される。
【００２８】
また、図６（ａ）に示されるように、小屋裏ダクト部２６の他端のダクト本体３１には、筒状に形成された連結部材４１が差し込まれかつ固着される。好ましくは、ダクト本体３１と連結部材４１との接続部は、アルミニウム等の金属製のテープ材３６によって気密にかつ断熱されて被覆される。また、連結部材４１の側面には、該連結部材４１の側面と平行に伸びた状態から、該連結部材４１の側方へ向かって例えば略Ｌ字状に折り曲げ可能な取付片４２が予め形成されている。
【００２９】
次に、図６（ｂ）、（ｃ）に示されるように、連結部材４１は、前記天井材８Ａの開口部８ｃに、小屋裏２２側から２階の居室８側へ挿通される。しかる後、取付片４２が天井面８ａの下方で折り曲げられ、居室８側からビス等の固定部材４３を用いて天井面８ａに固着される。このように、連結部材４１は、小屋裏ダクト部２６を居室８側から天井面８ａに固着しうる。これは、施工時の作業効率を向上させる点で望ましい。なお、連結部材４１と開口部８ｃとの隙間には、例えばパッキンや、コーキング材等が配されてもよいし、小屋裏ダクト部２６の他端にも、図５で示したようなマット状の消音断熱材４４が配されるのが好ましい。
【００３０】
図４に示したように、前記床下ダクト部２７は、その一端が略筒状に形成されたアダプタ４５を介して給気ファン４の吹出口４Ｄに気密に接続される。
【００３１】
また、図７（ａ）に示されるように、床下ダクト部２７の他端には、円筒状に形成された連結部材４７が差し込まれかつ固着される。これらの接続部は、アルミニウム等の金属製のテープ材３６によって気密にかつ断熱されて被覆される。また、連結部材４７の側面には、略Ｌ字状に折り曲げ可能な取付片４８が形成されている。
【００３２】
そして、図７（ｂ）、（ｃ）に示されるように、連結部材４７は、１階の床材１３Ａに形成された開口部１３ｅに、床下空間６から１階の居室１３側へと挿通される。しかる後、取付片４８が床面１３ｄの上方で折り曲げられ、居室１３側からビス等の固定部材４９によって床面１３ｄに固着される。
【００３３】
前記連結ダクト部２８は、図１に示されるように、２階の天井面８ａから２階の床面８ｄまでのびる上の連結ダクト部２８Ａと、１階の天井面１３ａから１階の床面１３ｄまでのびる下の連結ダクト部２８Ｂと、２階の床面８ｄと１階の天井面１３ａとの間の空間５１を水平にのびる中の連結ダクト部２８Ｃとから構成される。
【００３４】
中の連結ダクト部２８Ｃは、その下端が図６に示した連結部材４１を介して１階の天井面１３ａに固着される。また、中の連結ダクト部２８Ｃの上端は、図７に示した連結部材４７と同様の連結部材を介して２階の床面８ｄに固着される。また、中の連結ダクト部２８Ｃは、水平にのびる部分を有する。このような中の連結ダクト部２８は、ダクト長を増加させ、騒音エネルギーを減衰させるのに役立つ。また、本実施形態の中の連結ダクト部２８Ｃは、２階の床梁５２と略平行に配される。これにより、中の連結ダクト部２８Ｃは、床梁５２と干渉することなく自由な長さで配置することができる。
【００３５】
また、前記上の連結ダクト部２８Ａの一端は、図６（ｃ）に示すように、連結部材４１の下端に差し込まれて固着されかつテープ材３６で被覆される。また、上の連結ダクト部２８Ａの下端は、床面８ｄに固着された連結部材４７（図１に示す）に差し込まれかつ固着される。
【００３６】
また、上の連結ダクト部２８Ａには、２階の居室８の壁面に固着される揺れ防止部材（図示省略）が設けられることが好ましい。これにより、上の連結ダクト部２８Ａは、地震等による位置ズレが効果的に抑制される。また、上の連結ダクト部２８Ａは、例えば、天井面８ａ及び床面８ｄに固着される木枠５４を介して取り付けられる例えば石膏ボード等の面材５５等で覆われるのが好ましい。このような面材５５は、上の連結ダクト部２８Ａを目隠しし居室８内の見栄えを向上できる。また、給気ファン４の運転ノイズが、居室８内に伝達されるのを効果的に抑制できる。
【００３７】
また、前記下の連結ダクト部２８Ｂの上端は、１階の居室１３の天井面１３ａの連結部材４１に差し込まれかつ固着される。同様に、下の連結ダクト部２８の下端は、図７（ｃ）に示されるように、１階の居室１３の床面１３ｄに固着された連結部材４７に差し込まれかつ固着される。なお、下の連結ダクト部２８Ｂも、揺れ防止部材（図示省略）によって固着されるのが好ましく、かつ、面材５５で覆われるのが好ましい。
【００３８】
本実施形態のダクト部３には、９０度以上の角度で屈曲する屈曲部Ｂが、小屋裏ダクト部２６に２箇所、床下ダクト部２７に１箇所及び連結ダクト部２８に２箇所の合計５箇所形成されている。このような屈曲部Ｂは、ダクト部３内を通過する床下空気７が該屈曲部Ｂに衝突させ、給気ファン４の運転ノイズを弱めることができる。従って、ダクト部３に５箇所以上の屈曲部Ｂが形成されることによって、給気ファン４の運転ノイズをさらに効果的に低減され、居室８内の静粛性を向上しうる。また、屈曲部Ｂには、より多くの消音断熱材が配されもよく、さらに給気ファン４の運転ノイズの伝達が軽減される点で好ましい。
【００３９】
また、本実施形態の連結ダクト部２８は、中の連結ダクト部２８Ｃに、少なくとも２つの屈曲部Ｂが形成されている。これは、１階及び２階の居室８、１３スペースを占有することなく、複数個の屈曲部Ｂを設けるのに役立つ。
【００４０】
図８には、他の実施形態の小屋裏ダクト部２６が示される。図８（ａ）に示される実施形態では、小屋裏ダクト部２６は、波状に湾曲して配置される。この実施形態では、５つの屈曲部Ｂが形成される。また、図８（ｂ）の実施形態では、小屋裏ダクト部２６は、螺旋状にのびている。これらの小屋裏ダクト部２６は、給気ファン４の運転ノイズをさらに軽減できる点で好ましい。しかも、小屋裏ダクト部２６は、比較的スペースのある小屋裏２２内に形成されるので、様々な形に変形しうる。
【００４１】
さらに、図９に示されるように、小屋裏ダクト部２６は、そのダクト本体３１の内周面に、空気の通過を妨げる立片状の干渉具３１ａが形成されても良い。このような干渉具３１ａは、通過空気を干渉させ、共鳴音などを含むノイズをさらに低減することができる。
【００４２】
以上、本発明の特に好ましい実施形態について詳述したが、本発明は図示の実施形態に限定されることなく、種々の態様に変形して実施しうる。
【図面の簡単な説明】
【００４３】
【図１】本実施形態の住宅換気システムの一形態を示す断面図である。
【図２】換気口の拡大断面図である。
【図３】小屋裏ダクト部とグリル部との分解斜視図である。
【図４】給気ファンを示す斜視図である。
【図５】小屋裏ダクト部にマット状の消音断熱材が配された状態を示す斜視図である。
【図６】（ａ）は小屋裏ダクト部の他端に連結部材が固着された状態を示す断面図、（ｂ）は取付片が折り曲げられた状態を示す断面図、（ｃ）は連結部材が２階の居室の天井面に固着された状態を示す断面図である。
【図７】（ａ）は床下ダクト部の他端に連結部材が固着された状態を示す断面図、（ｂ）は取付片が折り曲げられた状態を示す断面図、（ｃ）は連結部材が１階の床面に固着された状態を示す断面図である。
【図８】（ａ）及び（ｂ）は他の実施形態の小屋裏ダクト部の側面図である。
【図９】本発明の他の実施形態を示す小屋裏ダクト部の断面図である。
【図１０】従来の住宅換気システムの断面図である。
【符号の説明】
【００４４】
１    住宅換気システム
２    換気口
３    ダクト部
４    給気ファン
６    床下空間
７    床下空気
８    居室
２２  小屋裏
２６  小屋裏ダクト部
２７  床下ダクト部
２８  連結ダクト部
３２  消音断熱材
Ｂ  屈曲部
【図１】
2010164241.tif 000003
【図２】
2010164241.tif 000004
【図３】
2010164241.tif 000005
【図４】
2010164241.tif 000006
【図５】
2010164241.tif 000007
【図６】
2010164241.tif 000008
【図７】
2010164241.tif 000009
【図８】
2010164241.tif 000010
【図９】
2010164241.tif 000011
【図１０】
2010164241.tif 000012